(57)【要約】      （修正有）【課題】ワイヤー巻き取り機で雪を掻き下ろし、屋根の尾根上をレールで移動する装置を提供する。【解決手段】ワイヤー巻き取り用ギャモーター３を正回転させてワイヤ巻き取りプーリー１に回転力を伝え巻上ワイヤー４２が軒下の方向へ引っ張られることで雪掻きボード３９は垂直になる。そのまま巻上ワイヤーが引っ張られると雪掻きボードは屋根の傾斜に沿って軒下へ移動し雪掻きを行う。該モータを逆回転させて元の状態に戻る。親機と子機の前後移動用モーター６，２３により屋根上を前後に移動する。【選択図】図７
2007231714.tif 000002
【特許請求の範囲】
【請求項１】
図１〜２は親機本体の正面図及び断面図である、屋根の尾根に固定レール１０をレール取り付け金具３４とゴムマット３５で屋根に直接接着剤で取りつけて、親機本体架台１１に移動用ローラー９を前後に取り付け、ワイヤー巻き取り機３及び前後移動移動モーター６を搭載し前後移動用歯車１８の刃先を前後移動用歯車噛み込み穴３３に差し込んで、固定レール１０の電源接触バー３２より電源接触機４７に電源が供給されて前後に移動出来る構造とする。
図３〜４は子機本体の正面図及び断面図である、屋根の軒下に図５のような固定レールに電源接触バー３２を設けない固定レール２７を子機取り付け金具３１で軒下に取り付けて、子機本体架台２８に移動用ローラー２９を前後に取り付け、前後移動移動モーター２３を搭載し前後移動用歯車３０の刃先を前後移動用歯車噛み込み穴３３に差し込んで取り付ける。
子機の電源は図８にあるリミットスイッチワイヤー４４に沿って取り付けリミットスイッチ１２と２６で入り切り出来るものとする。
親機と子機には雪掻きボード３９を屋根の傾斜に沿って上下に移動させるように、雪掻きボード３９の雪掻きボ−ドの移動用ワイヤ取り付け金具３６と雪掻きボ−ドの移動用ワイヤ取り付け金具４１を親機雪掻きボードガイドローラー１３と子機雪掻きボードガイドローラー２５を介してワイヤーで連結し張りを持たせた状態で取り付ける。
雪掻きボードの３９の両端に雪掻きボード３９を屋根の傾斜に沿って引き上げたり引き下げたり出来るように、ワイヤーで雪掻きボ−ド巻き取り用ワイヤ取り付け金具３７−ワイヤーガイドローラー１４−ワイヤーガイドローラー７−ワイヤー巻き取りプーリー１−ワイヤーガイドローラー８−ワイヤーガイドローラー１５−ワイヤー巻き取りプーリー２１−雪掻きボ−ド巻き取り用ワイヤ取り付け金具３７の順に連結し、ワイヤー巻き取り用ギャーモター３を回転させ巻き上げたり捲き降ろしたりする事によって、雪掻きボー３９が巻き上げ時は屋根の傾斜と水平の状態で移動し、捲き降ろし時には屋根の傾斜と垂直の状態で移動し、屋根の傾斜に積もった雪を掻き下ろすように取り付ける。
ワイヤースイッチ１２及び２６は親機と子機が平行して移動するようにワイヤーを直角に張り、親機と子機は同時に電源が入り同時走行するものとし、どちらかが遅れた場合は進んでいる方の前後移動用ギャーモーターのスイッチを切るように直角にワイヤーを張り、親機と子機が一緒に平行して移動出来るようにワイヤースイッチの入り切りを設定する。
ローラー１６は移動用ローラー９とチェーン２０で結びリミットスイッチ１９を設けて、雪掻きボードの幅で親機が移動しする度にＯＦＦになり、雪掻きボード３９が屋根の傾斜に沿って一往復し雪を掻き下ろしたらＯＮになるようにインターロック回路を形成する事によって自動的に前進し雪掻きを行い、屋根の尾根最終地点のリミットスイッチで反転し元の開始地点に戻る制御回路とする。
上記のように構成された屋根の雪下ろし機。
【発明の詳細な説明】
【技術分野】
【０００１】  この発明は屋根の雪下ろし機寝たに関する。
【背景技術】
【０００２】  融雪と言う方法があるが設備費と光熱費が高かった。
【発明の開示】
【発明が解決しようとする課題】
【０００３】  この発明は従来、豪雪地帯での屋根の雪降ろしは人が直接屋根に上ってスコップなどで掻き下ろすには、労働的負担や高齢者などの屋根からの転落事故の危険があった。
融雪という方法もあるが設備費及び光熱費が高いと言う欠点があった。
レールとモターを取り付けた簡単な設備で雪を掻き下ろす事を目的としている。
【課題を解決するための手段】
【０００４】  図面に基づいて説明すると、図１〜２は親機本体の正面図及び断面図である、屋根の尾根に固定レール１０をレール取り付け金具３４とゴムマット３５で屋根に直接接着剤で取りつけて、親機本体架台１１に移動用ローラー９を前後に取り付け、ワイヤー巻き取り機３及び前後移動移動モーター６を搭載し前後移動用歯車１８の刃先を前後移動用歯車噛み込み穴３３に差し込んで、固定レール１０の電源接触バー３２より電源接触機４７に電源が供給されて前後に移動出来る構造とする。
図３〜４は子機本体の正面図及び断面図である、屋根の軒下に図５のような固定レールに電源接触バー３２を設けない固定レール２７を子機取り付け金具３１で軒下に取り付けて、子機本体架台２８に移動用ローラー２９を前後に取り付け、前後移動移動モーター２３を搭載し前後移動用歯車３０の刃先を前後移動用歯車噛み込み穴３３に差し込んで取り付ける。
子機の電源は図８にあるリミットスイッチワイヤー４４に沿って取り付けリミットスイッチ１２と２６で入り切り出来るものとする。
親機と子機には雪掻きボード３９を屋根の傾斜に沿って上下に移動させるように、雪掻きボード３９の雪掻きボードの移動用ワイヤ取り付け金具３６と雪掻きボ−ドの移動用ワイヤ取り付け金具４１を親機雪掻きボードガイドローラー１３と子機雪掻きボードガイドローラー２５を介してワイヤーで連結し張りを持たせた状態で取り付ける。
雪掻きボードの３９の両端に雪掻きボード３９を屋根の傾斜に沿って引き上げたり引き下げたり出来るように、ワイヤーで雪掻きボード巻き取り用ワイヤ取り付け金具３７−ワイヤーガイドローラー１４−ワイヤーガイドローラー７−ワイヤー巻き取りプーリー１−ワイヤーガイドローラー８−ワイヤーガイドローラー１５−ワイヤー巻き取りプーリー２１−雪掻きボ−ド巻き取り用ワイヤ取り付け金具３７の順に連結し、ワイヤー巻き取り用ギャーモター３を回転させ巻き上げたり捲き降ろしたりする事によって、雪掻きボー３９が巻き上げ時は屋根の傾斜と水平の状態で移動し、捲き降ろし時には屋根の傾斜と垂直の状態で移動し、屋根の傾斜に積もった雪を掻き下ろすように取り付ける。
ワイヤースイッチ１２及び２６は親機と子機が平行して移動するようにワイヤーを直角に張り、親機と子機は同時に電源が入り同時走行するものとし、どちらかが遅れた場合は進んでいる方の前後移動用ギャーモーターのスイッチを切るように直角にワイヤーを張り、親機と子機が一緒に平行して移動出来るようにワイヤースイッチの入り切りを設定する。
ローラー１６は移動用ローラー９とチェーン２０で結びリミットスイッチ１９を設けて、雪掻きボードの幅で親機が移動しする度にＯＦＦになり、雪掻きボード３９が屋根の傾斜に沿って一往復し雪を掻き下ろしたらＯＮになるようにインターロック回路を形成する事によって自動的に前進し雪掻きを行い、屋根の尾根最終地点のリミットスイッチで反転し元の開始地点に戻る制御回路とする。
また、屋根の傾斜が少なく雪掻きボード３９で軒先まで掻き下ろした時、軒先に雪が残る場合は図７の掻き残し処理板４９及び図８のようにゴム製のヘラのような掻き残し処理回転板５０を取り付ける、掻き残し処理回転板５０はワイヤー巻き取りプーリー２１のシャフトに直接取り付けて一緒に回転する構造とする。
【発明の効果】
【０００５】この発明は、以上説明したように豪雪地帯での屋根の雪降ろしにあたって労働的負担や高齢者などの屋根からの転落事故を無くする事を目的としている。
【発明を実施するための最良の形態】
【０００６】  以上のように構成された屋根の雪下ろし機で実際に雪を掻き下ろす手順を説明する。
両方向傾斜の屋根の雪下ろしには図６のように雪掻きボード３９が尾根で屋根の傾斜に沿って寝ている状態でその上に２０ｃｍぐらいの雪が積もっていると仮定する。
まずワイヤー巻き取り用ギャーモター３を正回転させてワイヤー巻き取り用歯車５−シャフト回転用歯車４−ワイヤー巻き取りプーリー１に回転力が伝わり巻き上げワイヤー４２を軒下の方向へ引っ張られる事で雪掻きボード３９は支点４０を支点とし垂直になりストッパー３８で固定される、そのままワイヤー４２が引っ張られると雪掻きボード３９は屋根の傾斜に沿って垂直のまま軒下へと移動し雪掻きを行う、ワイヤー４３は雪掻きボード３９のアームを水平に固定してワイヤー４２に引っ張られて移動する事で雪掻きボード３９の垂直を保つ役目をする。
軒下まで掻き下ろしたらリミットスイッチでワイヤー巻き取り用ギャーモター３を逆回転させて巻き上げワイヤー４２で雪掻きボード３９を巻き上げると雪掻きボード３９は屋根と水平になりそのまま屋根の傾斜に沿って尾根へと移動し元の状態に戻る。
その後親機の前進ギャーモーター６と子機の前進ギャーモーター２３に電源が入り平行に前進する、ローラー１６のチェーン２０が一回転して雪掻きボード幅を前進したらリミットスイッチ１９で親機と子機の前進ギャーモーターの電源が切れ停止する。
その後ワイヤー巻き取り用ギャーモター３に電源が入り再び上記の動作を自動的に繰り返し、屋根の雪を雪掻きボード３９の幅で掻き下ろす。
尾根の最終地点まで雪を掻き下ろしたらリミットスイッチにより親機の前進ギャーモーター６と子機の前進ギャーモーター２３を逆転させて元の開始地点まで引き返し停止する。
屋内の電源盤にタイマーを取り付け雪の量によってタイマーを設定し、自動的に屋根の雪下ろしを効率よく行える。
【他の実施形態】
【０００７】図９は親機と子機の間に固定バー４５を取り付けた形である、ビニールハウスのように屋根の軒下の強度が十分でない場所に設け、ワイヤーの巻き取りなどで軒下に力が掛かり軒下の反り返りを防ぐ貯めに固定バー４５を設ける。
固定バー４５を設けた場合はリミットワイヤ４４及びリミットスイッチ１２とリミットスイッチ２６は必要でなくなる。
【実施例】
【０００８】  図１〜２は親機本体の正面図及び断面図である、屋根の尾根に図５のような固定レール１０をレール取り付け金具３４とゴムマット３５で屋根に直接接着剤で取りつけて、親機本体架台１１に移動用ローラー９を前後に取り付け、ワイヤー巻き取り機３及び前後移動移動モーター６を搭載し前後移動用歯車１８の刃先を前後移動用歯車噛み込み穴３３に差し込んで、固定レール１０の電源接触バー３２より電源接触機４７に電源が供給されて前後に移動出来る構造とする。
図３〜４は子機本体の正面図及び断面図である、屋根の軒下に図５のような固定レールに電源接触バー３２を設けない固定レール２７を子機取り付け金具３１で軒下に取り付けて、子機本体架台２８にローラー２９を前後に取り付け、前後移動移動モーター２３を搭載し前後移動用歯車３０の刃先を前後移動用歯車噛み込み穴３３に差し込んで取り付ける。
子機の電源は図８にあるリミットスイッチワイヤー４４に沿って取り付けリミットスイッチ１２と２６で入り切り出来るものとする。
図５は固定レールの立体図である。
親機には屋根の尾根に固定レール１０をレール取り付け金具３４とゴムマット３５で屋根に直接接着剤で取りつける。
屋根の軒下に固定レールに電電接触バー３２を設けない固定レール２７を子機取り付け金具３１で軒下に取り付ける。
図６は雪掻きボードの平面図及び断面図である、
雪掻きボード３９は強風に煽られないように強度を損なわない程度に穴を開け風の抵抗を無くした穴あきボードとする
雪掻きボード３９は支点４０を支点として自由に回転出来る構造とする。
雪掻きボ−ドの移動用ワイヤ取り付け金具３６と３雪掻きボ−ド巻き取り用ワイヤ取り付け金具３７にはワイヤーの張りを調整するボルトを取り付ける。
図７は雪掻き機を取りつけた屋根の断面図である、
屋根の尾根に固定レール１０をレール取り付け金具３４とゴムマット３５で屋根に直接接着剤で取りつけて、屋根の軒下に固定レールに電源接触バーを設けない固定レール２７を子機取り付け金具３１で軒下に取り付ける。
親機と子機には雪掻きボード３９を屋根の傾斜に沿って上下に移動させるように、雪掻きボード３９の雪掻きボ−ドの移動用ワイヤ取り付け金具３６と雪掻きボ−ドの移動用ワイヤ取り付け金具４１を親機雪掻きボードガイドローラー１３と子機雪掻きボードガイドローラー２５を介してワイヤーで連結し張りを持たせた状態で取り付ける。
雪掻きボードの３９の両端に雪掻きボード３９を屋根の傾斜に沿って引き上げたり引き下げたり出来るように、ワイヤーで雪掻きボ−ド巻き取り用ワイヤ取り付け金具３７−ワイヤーガイドローラー１４−ワイヤーガイドローラー７−ワイヤー巻き取りプーリー１−ワイヤーガイドローラー８−ワイヤーガイドローラー１５−ワイヤー巻き取りプーリー２１−雪掻きボ−ド巻き取り用ワイヤ取り付け金具３７の順に連結し、ワイヤー巻き取り用ギャーモター３を回転させ巻き上げたり捲き降ろしたりする事によって、雪掻きボー３９が巻き上げ時は屋根の傾斜と水平の状態で移動し、捲き降ろし時には屋根の傾斜と垂直の状態で移動し、屋根の傾斜に積もった雪を掻き下ろすように取り付ける。
ワイヤースイッチ１２及び２６は親機と子機が平行して移動するようにワイヤーを直角に張り、親機と子機は同時に電源が入り同時走行するものとし、どちらかが遅れた場合は進んでいる方の前後移動用ギャーモーターのスイッチを切るように直角にワイヤーを張り、親機と子機が一緒に平行して移動出来るようにワイヤースイッチの入り切りを設定する。
ローラー１６は移動用ローラー９とチェーン２０で結びリミットスイッチ１９を設けて、雪掻きボードの幅で親機が移動しする度にＯＦＦになり、雪掻きボード３９が屋根の傾斜に沿って一往復し雪を掻き下ろしたらＯＮになるようにインターロック回路を形成する事によって自動的に前進し雪掻きを行い、屋根の尾根最終地点のリミットスイッチで反転し元の開始地点に戻る制御回路とする。
図８は雪掻き機を取りつけた屋根の正面図である。
図９は補強バー付き雪掻き機を取りつけた屋根の側面図である。
親機と子機の間に固定バー４５を取り付けた形である、ビニールハウスのように屋根の軒下の強度が十分でない場所に設け、ワイヤーの巻き取りなどで軒下に力が掛かり軒下の反り返りを防ぐ為に固定バー４５を設ける。
固定バー４５を設けた場合はリミットワイヤ４４及びリミットスイッチ１２とリミットスイッチ２６は必要でなくなる。
【産業上の利用可能性】
【０００９】屋根の全長が長いビニールハウス又は体躯館のようなのような大規模の屋根に設ける事で、低コストで屋根の雪下ろしが出来る。
【図面の簡単な説明】
【０００９】
【図１】両方向傾斜の屋根に取りつける雪降ろし機の親機本体の正面図である
【図２】両方向傾斜の屋根に取りつける雪降ろし機の親機本体の断面図である
【図３】両方向傾斜の屋根に取りつける雪降ろし機の子機本体の正面図である
【図４】両方向傾斜の屋根に取りつける雪降ろし機の子機本体の断面図である
【図５】親機のレール立体図である。
【図６】雪掻きボードの正面及び側面図である。
【図７】雪掻き機を取りつけた両方向傾斜の屋根の断面図である。
【図８】雪掻き機を取りつけた両方向傾斜の屋根の正面図である。
【図９】補強バー付き雪掻き機を取りつけた両方向傾斜の屋根の側面図である。
【符号の説明】
１．ワイヤー巻き取りプーリー
２．ベアリング
３．ワイヤー巻き取り用ギャーモター
４．シャフト回転用歯車
５．ワイヤー巻き取り用歯車
６．前後移動用ギャーモーター
７．ワイヤーガイドローラー
８．ワイヤーガイドローラー
９．移動用ローラー
１０．親機レール
１１．本体架台
１２．ワイヤースイッチ
１３．雪掻きボード移動用ガイドローラー
１４．ワイヤーガイドローラー
１５．ワイヤーガイドローラー
１６．前後移動制御用歯車
１７．前後移動用連結歯車
１８．前後移動用歯車
１９．リミットスイッチ
２０．前後移動制御用歯車チェーン
２１．ワイヤー巻き取りプーリー
２２．ベアリング
２３．前後移動用ギャーモーター
２４．前後移動用連結歯車
２５．移動用ワイヤーガイドローラー
２６．ワイヤースイッチ
２７．子機レール
２８．子機本体架台
２９．ローラー
３０．前後移動用歯車
３１．子機取り付け金具
３２．レール電源接触板
３３．前後移動用歯車噛み込み穴
３４．レール取り付け金具
３５．ゴムマット
３６．雪掻きボードの移動用ワイヤ取り付け金具
３７．雪掻きボード巻き取り用ワイヤ取り付け金具
３８．雪掻きボ−ドストッパー
３９．雪掻きボ−ド
４０．雪掻きボ−ド支点
４１．雪掻きボ−ドの移動用ワイヤ取り付け金具
４２．雪掻きボード移動及び垂直水平動作ワイヤー
４３．雪掻きボード移動ワイヤー
４４．リミットスイッチワイヤー
４５．補強バー
４６．子機電源ケーブル
４７．電源接触機
４８．ワイヤーガイドローラー
４９．掻き残し処理板
５０．掻き残し処理回転板
【図１】
2007231714.tif 000003
【図２】
2007231714.tif 000004
【図３】
2007231714.tif 000005
【図４】
2007231714.tif 000006
【図５】
2007231714.tif 000007
【図６】
2007231714.tif 000008
【図７】
2007231714.tif 000009
【図８】
2007231714.tif 000010
【図９】
2007231714.tif 000011